(57)【要約】      （修正有）【課題】高い防水性を有し、しかも着脱が容易で、更にアッパー内が蒸れてしまうのを防止することが可能で、長時間履いても不快感を覚えることがなく、常に快適な履き心地を得ることができる地下たびを提供する。【解決手段】足を挿入する開口２ａが形成されたアッパー２に接地底を取り付けてなる地下たび１において、アッパー２を防水透湿性素材により構成し、接地底とアッパー２の下端部が防水性の被覆部６によって覆われており、アッパー２の上端から下方へ向かって延びるスリット８が形成され、アッパー２のスリット８を挟んで左右の両側部分によって構成されて、左右方向へ開くと開口２ａを拡張する開閉部９が設けられ、開閉部９を連結して閉じ、且つ連結を解除して開く防水ファスナー１０が設けられている。【選択図】図２
0003222665.tif 000002
【実用新案登録請求の範囲】
【請求項１】
足を挿入する開口が形成されたアッパーに接地底を取り付けてなる地下たびにおいて、前記アッパーを防水透湿性素材により構成し、前記接地底と前記アッパーの下端部が防水性の被覆部によって覆われており、前記アッパーの上端から下方へ向かって延びるスリットが形成され、前記アッパーの前記スリットを挟んで左右の両側部分によって構成されて、左右方向へ開くと前記開口を拡張する開閉部が設けられ、前記開閉部を連結して閉じ、且つ連結を解除して開く防水ファスナーが設けられていることを特徴とする地下たび。
【請求項２】
請求項１に記載した地下たびにおいて、開閉部はアッパーのつま先側に設けられていることを特徴とする地下たび。
【考案の詳細な説明】
【技術分野】
【０００１】
本考案は地下たびに関するものである。
【背景技術】
【０００２】
地下たびは、建設、土木工事等に従事する作業員だけでなく、登山、渓流釣り等のレジャーにおいても使用される履物となっている。地下たびは特許文献１にあるように綿布で縫製されたアッパー、同様の綿布からなる中底、合成ゴムからなる接地底から構成され、アッパーに中底と接地底を糸で縫い付けて製作されている。
【先行技術文献】
【特許文献】
【０００３】
【特許文献１】特開平１１−２２１１０２号公報
【考案の概要】
【考案が解決しようとする課題】
【０００４】
しかしながら、上記従来の地下たびはアッパーが防水性のない綿布で構成されているので、アッパーの外面から内部へ水が浸みてしまうことになる。そればかりか、アッパーに中底と接地底を縫着しているので、糸が接地底から中底を貫通しており、接地底だけが水に浸かっても糸が貫通する穴を通って水がアッパー内へ浸みてしまう。従って、従来の地下たびは防水性が全くないものとなっている。
また、従来の地下たびはアッパーの後端部に上端から下方へ向かって延びる開閉部が設けられている。この開閉部は左右方向へ開くようになっており、開閉部を開いた状態で、地下たびを履いたり、脱いだりする。そして、この開閉部は、その左右の一方側に設けられた数個のコハゼを他方側に設けられた掛け糸に係止することで閉じることができるようになっている。このコハゼと掛け糸からなる連結構造は防水性が全くない。
また、コハゼと掛け糸からなる連結構造はコハゼを掛け糸に対し、いちいち係止したり、外したりしなくてはならないので、地下たびの着脱を面倒なものにしている。
なお、全体を防水性の合成ゴムによって構成した地下たびタイプの防水靴もあるが、これはかなりの重量があり、建設、土木工事等に従事する作業員の負担になるばかりか、登山、渓流釣り等のレジャーには不向きである。しかも、この防水靴は透湿性がないため、アッパー内が蒸れてしまい長時間履いていると不快感を覚えることになる。
本考案は、上記従来の問題点に着目して為されたものであり、高い防水性を有し、しかも着脱が容易で、更にアッパー内が蒸れてしまうのを防止することが可能で、長時間履いても不快感を覚えることがなく、常に快適な履き心地を得ることができる地下たびの提供を、その目的とする。
【課題を解決するための手段】
【０００５】
本考案は上記課題を解決するためになされたものであり、請求項１の考案は、足を挿入する開口が形成されたアッパーに接地底を取り付けてなる地下たびにおいて、前記アッパーを防水透湿性素材により構成し、前記接地底と前記アッパーの下端部が防水性の被覆部によって覆われており、前記アッパーの上端から下方へ向かって延びるスリットが形成され、前記アッパーの前記スリットを挟んで左右の両側部分によって構成されて、左右方向へ開くと前記開口を拡張する開閉部が設けられ、前記開閉部を連結して閉じ、且つ連結を解除して開く防水ファスナーが設けられていることを特徴とする地下たびである。
【０００６】
請求項２の考案は、請求項１に記載した地下たびにおいて、開閉部はアッパーのつま先側に設けられていることを特徴とする地下たびである。
【考案の効果】
【０００７】
本考案の地下たびは、高い防水性を有し、アッパー内に水が浸みてしまうのを防止することができる。
しかも、着脱を極めて容易に行うことが可能である。
更にアッパー内が蒸れてしまうのを防止することが可能で、長時間履いても不快感を覚えることがなく、常に快適な履き心地を得ることができる。
【図面の簡単な説明】
【０００８】
【図１】本考案の実施の形態に係る地下たびの開閉部を閉じた状態の斜視図である。
【図２】図１の地下たびの開閉部を開いた状態の斜視図である。
【図３】図１の地下たびの底面図である。
【図４】図３のＡ−Ａ断面図とその部分拡大図である。
【図５】図１の地下たびの側面図である。
【考案を実施するための形態】
【０００９】
本考案の実施の形態に係る地下たび１を図面にしたがって説明する。
地下たび１はアッパー２に接地底３が中底４と共に糸５によって縫い付けられることにより取り付けられてなる。アッパー２は防水透湿性素材によって構成されている。この防水透湿性素材には、例えば、ＷＬゴア＆アソシエイツ社が製造販売するゴアテックス（Ｇｏｒｅ−Ｔｅｘ）（登録商標）が用いられる。
アッパー２の上端には足を挿入する開口２ａが形成されている。
【００１０】
接地底３は防水性を有し柔軟性に富む合成ゴムによって構成されている。
接地底３とアッパー２の下端部は、スチレンブタジエンゴムを主成分とするコーティング剤からなる被覆部６によって覆われている。この被覆部６は防水性を有すると共に柔軟性に富んでいる。
コーティング剤によって被覆部６を形成する方法は所謂どぶ漬けであり、流動性のある状態のコーティング剤を容器に入れ、この容器内のコーティング剤に接地底３とアッパー２の下端部を浸して引き上げる。そして、コーティング剤を固化させる。
上記のように所謂どぶ漬けにより被覆部６を形成しているので、アッパー２に接地底３と中底４を縫い付けている糸５が通る穴にもコーティング剤が入り込んで、この穴を完全に閉鎖する。
【００１１】
また、アッパー２のつま先側には、スリット８が形成されている。このスリット８はアッパー２の上端から下方へ向かって延びている。アッパー２のスリット８を挟んで左右の両側部分９ａ、９ｂによって開閉部９が構成されており、開閉部９を左右方向へ開くと開口２ａが拡張される。
開閉部９には防水ファスナー１０が設けられている。すなわち、開閉部９の左側部分９ａ、右側部分９ｂには、防水ファスナー１０のエレメントの左側部１０ａ、右側部１０ｂがそれぞれ取り付けられている。エレメントの左側部１０ａ、右側部１０ｂは、開閉部９の左側部分９ａ、右側部分９ｂの裏側で、スリット８を挟んだ縁部よりやや内側に設けられている。また、防水ファスナー１０はエレメントの左側部１０ａ、右側部１０ｂの連結及び連結の解除を行うスライダー１０ｃを有している。
地下たび１は以上のように構成されている。
【００１２】
地下たび１の使用方法を説明する。
防水ファスナー１０のスライダー１０ｃを摘んで下げ、エレメントの左側部１０ａ、右側部１０ｂの連結を解除する。これにより開閉部９が左右方向へ開いて、開口２ａを拡張する。そして、足を拡張した開口２ａへ挿入して、アッパー２につま先と足首を入れ、その状態でスライダー１０ｃを上げて、エレメントの左側部１０ａ、右側部１０ｂを連結する。これにより、開閉部９の左側部分９ａ、右側部分９ｂが連結されて、開閉部９が閉じる。開閉部９は防水ファスナー１０によって閉じられているので、開閉部９からアッパー２へ水が浸入するのを防止することができる。また、防水ファスナー１０はアッパー２のほぼ垂直或いは傾斜する部分に設けられているので、防水ファスナー１０に水がかかっても直ちに垂れて、防水ファスナー１０上に留まることはない。従って、開閉部９の防水性をより確実なものとしている。
このように、スライダー１０ｃを上げ下げするだけで開閉部９の開閉を行うことができるので、地下たび１の着脱を極めて容易に行うことが可能である。
【００１３】
前述のように地下たび１は、アッパー２、接地底３と共に防水性を有する材料によって構成され、しかも糸５が通る穴に被覆部６を構成するコーティング剤が入り込んで、この穴を完全に閉鎖しており、更に防水ファスナー１０によって開閉部９が閉じられている。従って、ぬかるみを歩くなどしても地下たび１の外面からアッパー２内へ水が浸みてしまうのを防止することができる。しかも、アッパー２は防水透湿性素材によって構成されているので、アッパー２内が蒸れてしまうのを防止することが可能で、地下たび１を長時間履いても不快感を覚えることがなく、常に快適な履き心地を得ることができる。
【００１４】
また、前述のように接地底３は柔軟性に富む合成ゴムによって構成され、接地底３とアッパー２の下端部を覆う被覆部６も柔軟性に富んでいる。従って、被覆部６が接地底３の柔軟性を損なうことなく、接地底３は湾曲するように弾性変形自在であり、地下たび１としての機能的な履き易さが保たれる。
なお、エレメントの左側部１０ａ、右側部１０ｂは、開閉部９の左側部分９ａ、右側部分９ｂの裏側で、スリット８を挟んだ縁部よりやや内側に設けられているので、開閉部９を閉じると、スライダー１０ｃは開閉部９の内側に位置して外部から見えない状態となる。従って、外観上のデザイン性も優れたものとなっている。
【００１５】
このように地下たび１は高い防水性を有し、アッパー２内に水が浸みてしまうのを防止することが可能で、また、着脱を極めて容易に行うことが可能である。しかもアッパー２内が蒸れてしまうのを防止することができ、長時間履いても不快感を覚えることがなく、常に快適な履き心地を得ることができる。更に、接地底３が湾曲するように弾性変形自在であり、地下たび本来の機能的な履き易さを備えるものである。
【００１６】
以上、本考案の実施の形態について詳述してきたが、具体的構成は、この実施の形態に限られるものではなく、本考案の要旨を逸脱しない範囲における設計の変更などがあっても考案に含まれる。
例えば、防水透湿性素材は、ゴアテックス（Ｇｏｒｅ−Ｔｅｘ）（登録商標）に限定されるものではなく、他の防水透湿性素材を用いてもよい。また、被覆部は防水性と柔軟性を有していれば、スチレンブタジエンゴムを主成分とするコーティング剤以外のものを用いることも可能である。
また、アッパーに接地底を糸によって縫い付けられたタイプの地下たび以外の、アッパーと接地底を接着剤により接着したもの、或いは接着剤による接着と縫着を併用したものでも本考案を適用することができる。
【産業上の利用可能性】
【００１７】
本考案は地下たび製造業において利用可能性がある。
【符号の説明】
【００１８】
１…地下たび      ２…アッパー      ２ａ…開口        ３…接地底      ４…中底
５…糸            ６…被覆部        ８…スリット      ９…開閉部
９ａ…開閉部の左側部分              ９ｂ…開閉部の右側部分
１０…防水ファスナー                １０ａ…防水ファスナーのエレメントの左側部
１０ｂ…防水ファスナーのエレメントの右側部            １０ｃ…スライダー
【図１】
0003222665.tif 000003
【図２】
0003222665.tif 000004
【図３】
0003222665.tif 000005
【図４】
0003222665.tif 000006
【図５】
0003222665.tif 000007